(57)【特許請求の範囲】
【請求項１】
第１の発光部材と第２の発光部材と電池とを備える照明装置であって、常用時には電源から供給される電力により前記第１の発光部材を点灯させ、電源が停止する停電時には前記電池から供給される電力により前記第２の発光部材を点灯させる照明装置において、
前記電池を充電する充電回路と、
常用時に点灯要求を受け付けたことを検出した場合に点灯検出信号を出力し、常用時に消灯要求を受け付けたことを検出した場合に消灯検出信号を出力する検出回路と、
前記検出回路から点灯検出信号を入力した場合に、電源から前記第１の発光部材に電力が供給されるように制御して前記第１の発光部材を点灯させ、電源から前記第２の発光部材に電力が供給されないように制御して前記第２の発光部材を消灯させ、電源から前記充電回路に電力が供給されるように制御して前記電池を充電する点灯時制御回路と、
前記検出回路から消灯検出信号を入力した場合に、電源から前記第１の発光部材に電力が供給されないように制御して前記第１の発光部材を消灯させ、電源から前記第２の発光部材に電力が供給されるように制御して前記第２の発光部材を点灯させ、電源から前記充電回路に電力が供給されるように制御して前記電池を充電する消灯時制御回路と、
停電を検知する停電時制御回路であって、停電を検知した場合に前記電池から電力が供給される停電時制御回路と、
前記停電時制御回路により制御される非常点灯回路であって、停電時に前記第１の発光部材に前記電池の電力を供給することにより前記第１の発光部材を点灯するとともに、前記第２の発光部材に前記電池の電力を供給することにより前記第２の発光部材を点灯する非常点灯回路と
を備えることを特徴とする照明装置。
【請求項２】
前記照明装置は、さらに、
前記第２の発光部材に流れる電流を調整する電流調整回路と、
周囲の明るさを検知して、検知した明るさに応じた明るさ検出信号を出力する明るさセンサとを備え、
前記消灯時制御回路は、
前記明るさセンサから入力した明るさ検出信号に基づいて、前記電流調整回路を制御することを特徴とする請求項１に記載の照明装置。
【請求項３】
前記第１の発光部材と前記第２の発光部材とのそれぞれは、発光ダイオードを光源とすることを特徴とする請求項１または２に記載の照明装置。
【発明の詳細な説明】
【技術分野】
【０００１】
本発明は、例えば、非常灯兼用階段通路誘導灯に関する。
【背景技術】
【０００２】
ビルやオフィスの階段や通路等に設置される誘導灯器具がある。この誘導灯器具は、避難経路となる階段や傾斜路等に設けられ、停電時でも床面に避難上有効な照度を与えるものであり、階段通路誘導灯と称される。
【０００３】
また、停電時に非常用電源により点灯する非常用光源を有する非常用照明器具がある。非常用照明器具が設置されている場合には、誘導灯の設置は不要となっているので、非常用照明器具の機能を兼ねた階段通路誘導灯は、非常灯兼用階段通路誘導灯とも称される。
【０００４】
ここで、非常用照明器具には、以下の３つの種類がある。
（１）平常時には点灯しない非常用光源のみを有する専用形非常用照明器具がある。例えば、ミニハロゲンランプを点灯させる小型のものがある（特許文献１参照）。
（２）一般電源のみにより点灯する光源と、平常時に点灯しない非常用光源との両方を有する組込形非常用照明器具がある。例えば、一般電源で点灯する光源に蛍光ランプを使用し、非常用光源にミニハロゲンランプを使用するものがある（特許文献２参照）。
（３）一般電源で点灯する非常用光源を有する併用形非常用照明器具がある。例えば、一般電源でも点灯する非常用光源として蛍光ランプを使用するものがある（特許文献３参照）。
【０００５】
非常灯兼用階段通路誘導灯は、平常時は階段や踊り場などの広い範囲の明かりを取る必要があるため、平常時には点灯しない（１）専用形非常用照明器具ではなく、（２）組込形非常用照明器具及び（３）併用形非常用照明器具のいずれかが用いられる。
【０００６】
また、安全や防犯等の目的のために用いられる常夜灯がある（特許文献４参照）。
【先行技術文献】
【特許文献】
【０００７】
【特許文献１】特開２００４−１８５８４１号公報
【特許文献２】特開昭６３−２７１８０２号公報
【特許文献３】実公平０３−０５５２０１号公報
【特許文献４】特開２００３−３４７０６９号公報
【特許文献５】特開２００９−２７２１３５号公報
【発明の概要】
【発明が解決しようとする課題】
【０００８】
従来の非常灯兼用階段通路誘導灯では、夜間等で人が不在となる場合に、壁スイッチにより消灯されてしまうと、（２）組込形非常用照明器具の場合は一般電源のみで点灯する光源は消灯し、平常時に点灯しない非常用光源は消灯したままである。また、（３）併用形非常用照明器具の場合は一般電源で点灯する非常用光源が消灯する。このように、従来の非常灯兼用階段通路誘導灯では、安全や防犯等の目的のための常夜灯としての機能させることができないという課題があった。
【０００９】
本発明は、上記のような課題を解決するためになされたものであり、非常灯兼用階段通路誘導灯として機能するとともに、常夜灯としても機能する照明器具を提供することを目的とする。
【課題を解決するための手段】
【００１０】
本発明に係る照明装置は、第１の発光部材と第２の発光部材と電池とを備える照明装置であって、常用時には電源から供給される電力により前記第１の発光部材を点灯させ、電源が停止する停電時には前記電池から供給される電力により前記第２の発光部材を点灯させる照明装置において、前記電池を充電する充電回路と、常用時に点灯要求を受け付けたことを検出した場合に点灯検出信号を出力し、常用時に消灯要求を受け付けたことを検出した場合に消灯検出信号を出力する検出回路と、前記検出回路から点灯検出信号を入力した場合に、電源から前記第１の発光部材に電力が供給されるように制御して前記第１の発光部材を点灯させ、電源から前記第２の発光部材に電力が供給されないように制御して前記第２の発光部材を消灯させ、電源から前記充電回路に電力が供給されるように制御して前記電池を充電する点灯時制御回路と、前記検出回路から消灯検出信号を入力した場合に、電源から前記第１の発光部材に電力が供給されないように制御して前記第１の発光部材を消灯させ、電源から前記第２の発光部材に電力が供給されるように制御して前記第２の発光部材を点灯させ、電源から前記充電回路に電力が供給されるように制御して前記電池を充電する消灯時制御回路と、停電を検知する停電時制御回路であって、停電を検知した場合に前記電池から電力が供給される停電時制御回路と、前記停電時制御回路により制御される非常点灯回路であって、停電時に前記第１の発光部材に前記電池の電力を供給することにより前記第１の発光部材を点灯するとともに、前記第２の発光部材に前記電池の電力を供給することにより前記第２の発光部材を点灯する非常点灯回路とを備える。
【発明の効果】
【００１１】
本発明に係る照明装置は、第１の発光部材と第２の発光部材と電池とを備える照明装置であって、常用時には電源から供給される電力により前記第１の発光部材を点灯させ、電源が停止する停電時には前記電池から供給される電力により前記第２の発光部材を点灯させる照明装置において、前記電池を充電する充電回路と、常用時に点灯要求を受け付けたことを検出した場合に点灯検出信号を出力し、常用時に消灯要求を受け付けたことを検出した場合に消灯検出信号を出力する検出回路と、前記検出回路から点灯検出信号を入力した場合に、電源から前記第１の発光部材に電力が供給されるように制御して前記第１の発光部材を点灯させ、電源から前記第２の発光部材に電力が供給されないように制御して前記第２の発光部材を消灯させ、電源から前記充電回路に電力が供給されるように制御して前記電池を充電する点灯時制御回路と、前記検出回路から消灯検出信号を入力した場合に、電源から前記第１の発光部材に電力が供給されないように制御して前記第１の発光部材を消灯させ、電源から前記第２の発光部材に電力が供給されるように制御して前記第２の発光部材を点灯させ、電源から前記充電回路に電力が供給されるように制御して前記電池を充電する消灯時制御回路と、停電を検知した場合に前記電池から電力が供給される停電時制御回路と、前記停電時制御回路により制御され、停電時に前記第１の発光部材に前記電池の電力を供給することにより前記第１の発光部材を点灯するとともに、前記第２の発光部材に前記電池の電力を供給することにより前記第２の発光部材を点灯する非常点灯回路とを備えているので、停電時にひとつの非常点灯回路で第１の発光部材と第２の発光部材との両方を違う明るさで点灯させることができる照明装置を提供することができる。
【図面の簡単な説明】
【００１２】
【図１】実施の形態１に係る照明器具１００ａを示す模式図であり、（ａ）は正面図、（ｂ）は側面図である。
【図２】比較例の組込型非常用照明器具８００の回路図である。
【図３】実施の形態１に係る照明器具１００ａの回路図である。
【図４】実施の形態２に係る照明器具１００ｂの回路図である。
【図５】実施の形態２に係る照明器具１００ｂの点灯バリエーションを示す図である。
【図６】実施の形態２に係る照明器具１００ｂの点灯バリエーションの制御フローを示す図である。
【図７】実施の形態３に係る照明器具１００ｃの回路図である。
【図８】実施の形態３に係る照明器具１００ｃの非常時における第１の発光部材１８０と第２の発光部材１９０との点灯状態の組み合わせを示す図である。
【図９】実施の形態３に係る照明器具１００ｃの非常時における点灯バリエーションを示す図である。
【図１０】実施の形態３に係る照明器具１００ｃの非常時における制御のフロー図である。
【図１１】実施の形態３に係る照明器具１００ｃの点灯バリエーションと各スイッチの状態との関係の例を示す図である。
【図１２】実施の形態４に係る照明器具１００ｄの回路図である。
【図１３】実施の形態４に係る照明器具１００ｄの各スイッチと各発光部材と２次電池の状態との関係を示す図である。
【発明を実施するための形態】
【００１３】
実施の形態１．
本実施の形態に係る照明器具１００ａは、例えば、階段の踊り場の壁面や、傾斜路の壁面に設置される照明装置であり、非常灯を兼ねる階段通路誘導灯（いわゆる、非常灯兼用階段通路誘導灯）である。非常灯兼用階段通路誘導灯は、階段の踊り場等に設置される防災用照明器具であり、常用時は通常の照明器具として機能するとともに、停電時等には避難者が安全かつ迅速に避難できるように誘導するためのものである。非常灯兼用階段通路誘導灯は、非常灯の要件を満たすために、停電しても避難活動が可能なように、光源が電球の場合は最低１ルクス（光源が蛍光ランプの場合は２ルクス）の照度を確保するように設計されている。
【００１４】
以下、常用時とは、常用電源（商用電源）が稼働している状態であり、停電時あるいは非常時とは、常用電源（商用電源）が停止した状態をいうものとする。
【００１５】
図１は、本実施の形態に係る照明器具１００ａを示す模式図であり、（ａ）はシーリングカバー１１０を外した状態の正面図、（ｂ）は側面視断面図である。図２は、比較のための組込型非常用照明器具８００の回路図である。図３は、本実施の形態に係る照明器具１００ａの回路図である。図１〜図３を用いて、本実施の形態に係る照明器具１００ａの回路構成について説明する。
【００１６】
図１に示すように、照明器具１００ａ（照明装置）は、器具本体１２０、ＬＥＤモジュール１８０ａ〜１８０ｄからなる第１の発光部材１８０、第２の発光部材１９０、シーリングカバー１１０を備える。
【００１７】
ＬＥＤモジュール１８０ａ〜１８０ｄは、例えば、基板の発光面１８１に光源１８２としてＬＥＤ（発光ダイオード）が実装されているＬＥＤ基板である。図１（ａ）に示すように、４つのＬＥＤモジュール１８０ａ〜１８０ｄからなる第１の発光部材１８０は、各ＬＥＤモジュールが四角形の１辺をなすように配置され、全体として四角形をなすように配置されている。
【００１８】
図１（ａ）に示すように、上下方向に沿って配置されているＬＥＤモジュール１８０ａ，１８０ｃには、基板の発光面１８１に５つの光源１８２（ＬＥＤ）が並べて実装されている。上下方向に対して直角方向に配置されているＬＥＤモジュール１８０ｂ，１８０ｄにも、基板に５つの光源１８２（ＬＥＤ）が並べて実装されている。
【００１９】
図１（ａ）（ｂ）に示すように、ＬＥＤモジュール１８０ａ〜１８０ｄは、発光面１８１ａ〜１８１ｄが正面方向を向くように器具本体１２０に配置される。第１の発光部材１８０（ＬＥＤモジュール１８０ａ〜１８０ｄ）は、光の照射方向が主に正面方向であり、常用時に階段の踊り場周辺や通路周辺に照度を与えるための光源である。
【００２０】
第２の発光部材１９０は、基板の発光面１９１に、例えば、４つの光源１９２（ＬＥＤ）が並べて実装される。
【００２１】
第２の発光部材１９０は、第１の発光部材１８０（ＬＥＤモジュール１８０ａ〜１８０ｄ）の下側（床面側）に配置される。図１（ａ）（ｂ）に示すように、第２の発光部材１９０は、ＬＥＤモジュール１８０ｂの床面側にＬＥＤモジュール１８０ｂに略平行に配置される。
【００２２】
第２の発光部材１９０は、発光面１９１が正面方向ではなく、床面方向（下方）を向くように配置される。発光面１９１が床面方向を向くように配置される第２の発光部材１９０は、停電時に後述する２次電池１４０（電池）を電源として点灯する非常用光源であり、主に床面に照度を与えることにより、安全かつ迅速に避難行動ができるようにするための光源である。
【００２３】
器具本体１２０は、第１の発光部材１８０と第２の発光部材１９０とを取り付ける光源取付面を有する。また、後述する端子台１７０、スイッチング電源２１２、充電回路１５０ａ、制御回路１５０ｃ等を含む点灯装置は、器具本体１２０の内部に収納される（図示は省略）。
【００２４】
図２は、本実施の形態に係る照明器具１００ａの比較例である組込型非常用照明器具８００の回路図である。
【００２５】
組込型非常用照明器具８００は、常用安定器８３０、２次電池８４０、コントロールユニット８５０、点検スイッチ８６０、端子台８７０、主光源８８０、非常用光源８９０を備える。組込型非常用照明器具８００は、端子台８７０を介して常用電源９１０から電力が供給される。主光源８８０は、例えば、蛍光ランプである。非常用光源８９０は、例えば、ミニハロゲンランプである。
【００２６】
常用安定器８３０は、常用電源９１０からの交流電圧を直流電圧に変換するなどして、常用時に主光源８８０である蛍光ランプを点灯させる。常用安定器８３０には、常用電源９１０に接続された端子ｃと端子ｂとが接続され、常用電源９１０、端子ｃ、常用安定器８３０、主光源８８０、常用安定器８３０、端子ｂからなる常用電源９１０のループが形成される。このループより、常用安定器８３０は、常用時に常用電源９１０を電源として主光源８８０である蛍光ランプを点灯させる。
【００２７】
端子台８７０の端子ｂは、壁スイッチ９１１（遠隔操作スイッチ）を介して常用電源９１０に接続しているため、壁スイッチ９１１をオフにすれば常用安定器８３０に常用電源９１０の電力は供給されず、主光源８８０は消灯する。
【００２８】
コントロールユニット８５０は、充電回路８５０ａと、切替制御回路８５０ｂとを備える。コントロールユニット８５０には、常用電源９１０に接続された端子ｃと端子ａとが接続され、常用時には、常用電源９１０、端子ｃ、コントロールユニット８５０、２次電池８４０、コントロールユニット８５０、端子ａからなる常用電源９１０のループが形成される。このループより、コントロールユニット８５０は、常用時に常用電源９１０を電源として２次電池８４０を充電する。
【００２９】
また、停電時には、コントロールユニット８５０は、２次電池８４０を電源として非常用光源８９０を点灯する。
【００３０】
充電回路８５０ａは、常用電源９１０からの交流電圧を直流電圧に変換するなどして、直流電圧を切替制御回路８５０ｂに供給する。
【００３１】
切替制御回路８５０ｂは、常用電源９１０があるときは２次電池８４０を充電し、常用電源９１０が停止して停電状態になったら、２次電池８４０の電力により非常用光源８９０（ミニハロゲンランプ）を点灯させる。
【００３２】
点検スイッチ８６０は、停電時（非常時）の動作を模擬し、停電時に非常用光源８９０が点灯するかどうか確認するためのスイッチである。点検スイッチ８６０は、端子ｃと常用安定器８３０及びコントロールユニット８５０との間に配置される。点検スイッチ８６０をオフにすることにより、常用安定器８３０及びコントロールユニット８５０への電力の供給を模擬的に遮断することができる。
【００３３】
図２に示すように、壁スイッチ９１１がオフされると、常用電源９１０、端子ｃ、常用安定器８３０からなるループが切断され、主光源８８０が消灯する。壁スイッチ９１１がオフされても、常用電源９１０、端子ｃ、コントロールユニット８５０、非常用光源８９０、コントロールユニット８５０からなるループには影響がなく、非常用光源８９０は消灯したままであり、２次電池８４０の充電が継続される。
【００３４】
以上のように、組込型非常用照明器具８００は、例えば、夜間、人が不在な時などに壁スイッチ９１１等で消灯されてしまうと、常夜灯として機能しない。また、例えば、人感センサ等を組合せて、人がいる場合に点灯させるように構成しても、点灯するのは蛍光ランプであり常夜灯としての目的のものではなく、省エネという観点では満足できるものではない。また、ミニハロゲンランプは寿命が短いため常夜灯としての光源に用いることは不適当である。
【００３５】
次に、本実施の形態に係る照明器具１００ａの回路構成について、図３を用いて説明する。
【００３６】
照明器具１００ａは、２次電池１４０、充電回路１５０ａ、制御回路１５０ｃ、非常点灯回路１５０ｄ、点検スイッチ１６０、端子台１７０、第１の発光部材１８０、第２の発光部材１９０、スイッチング電源１１２、第１のスイッチ１３１、第２のスイッチ１３２、消灯検出回路１１５、明るさ設定回路１１７、明るさセンサ１１９を備える。
【００３７】
スイッチング電源１１２は、例えば、絶縁型のフライバック回路などを備えたスイッチングコンバータである。
【００３８】
制御回路１５０ｃは、マイクロコンピュータなどを内蔵し、照明器具１００ａの回路全体の制御を実行する。充電回路１５０ａは、スイッチング電源１１２からの電源供給を受け、２次電池１４０を充電する。
【００３９】
第１のスイッチ１３１は、第１の発光部材１８０に並列に電気接続され、第２のスイッチ１３２は、第２の発光部材１９０に並列に電気接続される。また、第３のスイッチ１３３は、スイッチング電源１１２と第１の発光部材１８０及び第２の発光部材１９０を切り離すことができるように電気接続される。
【００４０】
点検スイッチ１６０は、制御回路１５０ｃに接続され、照明器具１００ａの回路を模擬的に停電状態とするための点検用のスイッチである。例えば、制御回路１５０ｃが、点検スイッチ１６０がオンされたことを検知するとスイッチング電源１１２を停止させるよう制御すれば、常用電源９１０を遮断しなくても停電を模擬することができ、非常点灯時の状態を確認することができる。
【００４１】
これにより、利用者は、非常時に照明器具１００ａが正しく動作するかどうかを点検することができる。点検スイッチ１６０は、例えば、リモートコントロールにより操作できるものでもよい。
【００４２】
非常点灯回路１５０ｄは、２次電池１４０の電圧を昇圧するなどして、非常時に点灯する第２の発光部材１９０が適切に点灯できるように動作する回路である。
【００４３】
常用電源９１０と端子台１７０の端子ｂとの間には、壁スイッチ９１１が配置される。壁スイッチ９１１は、例えば、リモートコントロールにより操作できるものでもよい。
【００４４】
消灯検出回路１１５は、端子台１７０の端子ｂに接続され、壁スイッチ９１１のオン状態、あるいはオフ状態を検出する。
【００４５】
消灯検出回路１１５は、壁スイッチ９１１のオンを検出すると、点灯検出信号を制御回路１５０ｃに出力する。また、消灯検出回路１１５は、壁スイッチ９１１のオフを検出すると、消灯検出信号を制御回路１５０ｃに出力する。
【００４６】
消灯検出回路１１５は、常用時に、壁スイッチのオン（点灯要求）を受け付けたことを検出した場合に点灯検出信号を出力し、常用時に、壁スイッチのオフ（消灯要求）を受け付けたことを検出した場合に消灯検出信号を出力する検出回路である。
【００４７】
明るさ設定回路１１７は、常夜灯として機能する第２の発光部材１９０の明るさを設定する回路である。
【００４８】
明るさセンサ１１９は、照明器具１００ａの周囲の明るさを検知するセンサである。例えば、明るさセンサ１１９は、周囲の明るさを検知して、明るさを示す明るさ検知信号を制御回路１５０ｃに出力する。制御回路１５０ｃは、明るさセンサ１１９からの明るさ検知信号により、夜間などを検知する。
【００４９】
次に、図３を用いて、照明器具１００ａの回路の常用時の動作について説明する。
【００５０】
制御回路１５０ｃ（点灯時制御回路）は、消灯検出回路１１５から点灯検出信号を入力した場合に、常用電源９１０から第１の発光部材１８０に電力が供給されるように制御して第１の発光部材１８０を点灯させ、常用電源９１０から第２の発光部材１９０に電力が供給されないように制御して第２の発光部材１９０を消灯させ、常用電源９１０から充電回路１５０ａに電力が供給されるように制御して２次電池１４０を充電する。
【００５１】
常用時、照明器具１００ａの回路には、常用電源９１０から端子台１７０を介して電源が供給される。端子台１７０の端子ｃと端子ａとに常用電源９１０が印加され、スイッチング電源１１２が動作する。
【００５２】
制御回路１５０ｃは、常用時、スイッチング電源１１２から電力が供給される。制御回路１５０ｃは、第１のスイッチ１３１をオフ、第２のスイッチ１３２をオンに制御する。この制御により、スイッチング電源１１２から第１の発光部材１８０に電力が供給されるが、スイッチング電源１１２から第２の発光部材１９０には電力が供給されない。
【００５３】
つまり、常用時、スイッチング電源１１２、第１の発光部材１８０、第２のスイッチ１３２、スイッチング電源１１２に戻る閉ループが形成され、第１の発光部材１８０のみが点灯する。
【００５４】
一方、スイッチング電源１１２の出力は、充電回路１５０ａにも電力を供給し、充電回路１５０ａは２次電池１４０を充電する。
【００５５】
次に、図３を用いて、照明器具１００ａの回路の停電時の動作について説明する。
【００５６】
まず、停電等により常用電源９１０から電力が供給されなくなると、スイッチング電源１１２が停止する。スイッチング電源１１２は常用電源９１０からの電力により動作するため、制御回路１５０ｃは、スイッチング電源１１２の動作（スイッチング回路の発振停止状態を含む）により、停電か否かを判別する。あるいは、常用電源９１０から電力が供給されているか否かを直接的に判別する停電検出回路を追加して、制御回路１５０ｃは停電検出回路からの信号により停電を検知するように構成してもよい。
【００５７】
制御回路１５０ｃ（停電時制御回路）は、停電を検知すると、２次電池１４０からの電力供給を受ける。そして、制御回路１５０ｃ（停電時制御回路）は、非常点灯回路１５０ｄが２次電池１４０から電力供給を受けるように制御する。
【００５８】
非常点灯回路１５０ｄ（第１の非常点灯回路）は、２次電池１４０を電源として第２の発光部材１９０を点灯する。
【００５９】
つまり、常用電源９１０が遮断され停電になると、スイッチング電源１１２は停止するので２次電池１４０から制御回路１５０ｃに電源を供給し、非常点灯回路１５０ｄを制御回路１５０ｃで動作させる。
【００６０】
制御回路１５０ｃは、第１のスイッチ１３１をオン、第２のスイッチ１３２をオフに制御する。この制御により、非常点灯回路１５０ｄ、第１のスイッチ１３１、第２の発光部材１９０、非常点灯回路１５０ｄの閉ループが形成され、２次電池１４０による電源で第２の発光部材１９０のみが点灯される。
【００６１】
このとき、第２の発光部材１９０の明るさは、非常灯として法律で決まっている明るさの範囲を確保するように非常点灯回路１５０ｄに予め設定しておく。つまり、第２の発光部材１９０が停電時の非常灯として機能する場合には、外部から明るさの設定ができないようにしておくことが望ましい。
【００６２】
次に、壁スイッチ９１１がオフされた場合の照明器具１００ａの回路の動作について説明する。壁スイッチ９１１がオフされた場合は、上述したように、消灯検出回路１１５から制御回路１５０ｃに消灯検出信号が出力される。
【００６３】
制御回路１５０ｃ（消灯時制御回路）は、消灯検出回路１１５から消灯検出信号を入力した場合に、常用電源９１０から第１の発光部材１８０に電力が供給されないように制御して第１の発光部材１８０を消灯させる。また、制御回路１５０ｃ（消灯時制御回路）は、常用電源９１０から第２の発光部材１９０に電力が供給されるように制御して第２の発光部材１９０を点灯させる。また、制御回路１５０ｃ（消灯時制御回路）は、常用電源９１０から充電回路１５０ａに電力が供給されるように制御して２次電池１４０を充電する。
【００６４】
端子台１７０の端子ｂは、壁スイッチ９１１（遠隔操作スイッチでもよい）を介して常用電源９１０に接続される。消灯検出回路１１５は、端子ｂと常用電源９１０との間の信号が遮断されたことを検出し、消灯検出信号を制御回路１５０ｃ（マイコン）に出力する。
【００６５】
制御回路１５０ｃは、消灯検出信号を入力した場合に、第３のスイッチ１３３をオフにして、第１の発光部材１８０及び第２の発光部材１９０への電源供給を停止し、２次電池１４０の充電のみを継続する制御とすることも可能である。
【００６６】
しかし、第２の発光部材１９０を常夜灯として機能させるために、制御回路１５０ｃは、消灯検出信号を入力すると、第１の発光部材１８０及び第２の発光部材１９０への電源供給を停止する第３のスイッチ１３３はオフしない。制御回路１５０ｃは、第３のスイッチ１３３はオンのままで、第１のスイッチ１３１をオン、第２のスイッチ１３２をオフに制御する。
【００６７】
照明器具１００ａの回路は、第１のスイッチ１３１をオン、第２のスイッチ１３２をオフに制御されると、第１の発光部材１８０は消灯し、第２の発光部材１９０のみが点灯する。これにより、第２の発光部材１９０を常夜灯として機能させることができる。
【００６８】
明るさ設定回路１１７は、制御回路１５０ｃに対して、第２の発光部材１９０を常夜灯として点灯する場合の第２の発光部材１９０の明るさを設定する回路である。明るさ設定回路１１７は、設定された明るさを明るさ設定信号として制御回路１５０ｃに入力する。
【００６９】
制御回路１５０ｃは、明るさ設定回路１１７から入力した明るさ設定信号に応じて、スイッチング電源１１２の出力を制御することにより、常夜灯として機能する第２の発光部材１９０の明るさを制御する。
【００７０】
例えば、明るさ設定回路１１７には、予め第２の発光部材１９０が常夜灯として点灯する場合の明るさを設定しておいてもよい。あるいは、外部からのボリューム操作により常夜灯の明るさを設定する回路としてもよい。あるいは、切替スイッチなどのような回路として段調光のような制御をしたり、外部からリモコンなどで信号を送ることで連続的に可変することもできるようにしてもよい。
【００７１】
また、明るさ設定回路１１７に設定される第２の発光部材１９０の常夜灯としての明るさは、設置する場所に応じて管理者により設定されるとしてもよい。例えば、常夜灯としての明るさを明るくすることで、第１の発光部材１８０を点灯させなくても、階段を行き来するのに足りる明るさを得ることが可能である。また、第２の発光部材１９０の光源にＬＥＤを用いることにより、光源の寿命を案ずることなく十分な明るさで長時間点灯することができる。このように常夜灯としての明るさを設定することにより、人の少ない夜間は壁スイッチ９１１をオフしても常夜灯だけで安全や防犯の効果があり、省エネを図ることができる。
【００７２】
あるいは、常夜灯の明るさは、非常灯として点灯する際の規定の明るさ（法律上定められている避難するのに最低限必要な明るさ）で点灯してもよいし、常用点灯時の第１の発光部材１８０と同様の明るさとしてもよいし、常用点灯時の第１の発光部材１８０よりも控えめな明るさに設定してもよい。
【００７３】
ただし、どのように設定したとしても、常用電源９１０が遮断され停電状態となった場合には、非常点灯回路１５０ｄが動作し、２次電池１４０を電源として第２の発光部材１９０を非常点灯時の規定の明るさ以上で点灯させる。
【００７４】
次に、第２の発光部材１９０を常夜灯として機能させる場合の、照明器具１００ａの回路の点灯バリエーションについて説明する。
【００７５】
本実施の形態における照明器具１００ａによれば、壁スイッチ９１１がオフされても、スイッチング電源１１２には常用電源９１０から電力か供給され、制御回路１５０ｃにはスイッチング電源から電力が供給されているので、制御回路１５０ｃが動作可能である。
【００７６】
また、消灯検出回路１１５と明るさ設定回路１１７と明るさセンサ１１９とは、制御回路１５０ｃに接続される構成なので、壁スイッチ９１１がオフされても消灯検出回路１１５と明るさ設定回路１１７と明るさセンサ１１９とは、制御回路１５０から電源供給され動作可能である。そこで、照明器具１００ａの回路において、次のような動作も可能である。
【００７７】
上述したように、明るさセンサ１１９は、壁スイッチ９１１のオンオフに関わらず動作可能であるので、制御回路１５０ｃは明るさセンサ１１９から入力する明るさ検知信号に基づいて、以下のように制御することもできる。
【００７８】
制御回路１５０ｃは、明るさ検知信号に基づいて夜間を検知すると、壁スイッチ９１１のオンオフに関わらず、第２の発光部材１９０を常夜灯として点灯させるとしてもよい。このとき、第２の発光部材１９０の常夜灯としての明るさは、常夜灯のみで夜間の足元の明るさを確保できる程度の明るさ以上に設定されていることが好ましい。
【００７９】
このように、照明器具１００ａによれば、明るさセンサ１１９で検知した明るさに適応し、第１の発光部材１８０を自動的に消灯し、第２の発光部材１９０を自動的に点灯させることで、省エネを図ることができる。
【００８０】
以上のように、本実施の形態に係る照明器具１００ａによれば、壁スイッチ９１１の信号を消灯用の信号（消灯検出信号）として制御回路１５０ｃに入力し、制御回路１５０ｃにより第１の発光部材１８０を消灯制御する方式である。したがって、明るさセンサ１１９で検出した信号（明るさ検知信号）を制御回路１５０ｃに入力することで、壁スイッチ９１１のオンオフに関わらず、制御回路１５０ｃは明るさ検知信号に基づいて常用時の第１の発光部材１８０の点灯・調光・消灯制御を行なうことができる。
【００８１】
照明器具１００ａにおいて、常夜灯としての機能は極力活かしたいため、壁スイッチ９１１、明るさセンサ１１９、常用電源９１０の状態を制御回路１５０ｃにおいて判断する優先順位は、常用電源有無＞明るさセンサ＞壁スイッチとすることが好ましい。このような優先順位とすることで、制御回路１５０ｃは、壁スイッチ９１１がオフになっていても、明るさセンサ１１９で明るさが確保されているようであっても、停電となった際には必ず第２の発光部材１９０が非常灯として点灯し、非常時に円滑に避難する明るさを確保ことができる。
【００８２】
以上のように、本実施の形態に係る照明器具１００ａの回路構成によれば、壁スイッチ９１１をオフした場合でも、第２の発光部材１９０を常夜灯として点灯させることができる。また、第２の発光部材１９０は、下面（床面）発光用の光源とするとともに常夜灯として点灯できるようにする。これにより、常夜灯としての機能が付加されるとともに、足元を照らす機能を持つ照明器具１００ａを提供することができる。
【００８３】
また、常用光源となる第１の発光部材１８０とは別に、非常用光源となる第２の発光部材１９０を配置したので、非常時の２次電池１４０をコンパクトなものにすることができる。また、上述したように第１の発光部材１８０とは別に第２の発光部材１９０を配置したので、常用時に常用点灯する電源と、２次電池を充電する電源を両方備える必要がなく、照明器具１００ａ自体もコンパクトに構成することができる。
【００８４】
実施の形態２．
図４は、本実施の形態に係る照明器具１００ｂの回路図である。図４は、実施の形態１で説明した図３の回路構成に、さらに構成を追加したものである。図４では、図３と同様の機能を有する構成については同一の符号を付し、その説明を省略する。
【００８５】
図４に示すように、照明器具１００ｂは、人感センサ１２１を備える。人感センサ１２１は、照明器具１００ｂ内に内蔵されており、制御回路１５１ｃに接続される。実施の形態１において説明した消灯検出回路１１５、明るさ設定回路１１７、明るさセンサ１１９と同様に、人感センサ１２１も制御回路１５０ｃから電源供給がされるので、壁スイッチ９１１がオフされても動作可能である。
【００８６】
また、図４に示すように、照明器具１００ｂの回路は、センス抵抗２５０ｅ，２５０ｆ，２５０ｇ（電流調整回路）と、第４のスイッチ１３４、第５のスイッチ１３５を備える。
【００８７】
第４のスイッチ１３４は、常用時と非常時（停電時）とで、センス抵抗を切り替えるためのスイッチである。第５のスイッチ１３５は、スイッチング電源１１２で動作している時に、第１の発光部材１８０、第２の発光部材１９０を調光するためのスイッチである。また、センス抵抗２５０ｆは、第５のスイッチ１３５により切替えられるセンス抵抗である。
【００８８】
図４を用いて、本実施の形態の動作を説明する。本実施の形態では、照明器具１００ｂに回路を定電流で動作させる場合について説明する。
【００８９】
常用時、照明器具１００ｂの回路は、常用電源９１０から端子台１７０を介して電力が供給される。端子台１７０の端子ｃと端子ａとに常用電源９１０が印加され、スイッチング電源１１２が動作する。
【００９０】
制御回路１５０ｃが第１のスイッチ１３１をオフ、第２のスイッチ１３２をオン、第４のスイッチ１３４をオンに制御すると、スイッチング電源１１２、第１の発光部材１８０、第２のスイッチ１３２、第４のスイッチ１３４、少なくともセンス抵抗２５０ｆ，２５０ｇのうちのいずれか、スイッチング電源１１２の閉ループを形成し、第１の発光部材１８０のみが点灯する。
【００９１】
このスイッチング電源１１２の回路では、センス抵抗２５０ｆとセンス抵抗２５０ｅとの合成抵抗により電圧が検知される。このスイッチング電源１１２の回路は、センス抵抗２５０ｆ，２５０ｇを用いた定電流回路であり、スイッチング電源１１２にセンス電圧が設定されている。スイッチング電源１１２は、センス電圧が保たれるように回路に電流を流す。そして、制御回路１５０ｃがセンス抵抗２５０ｆに並列に電気接続されている第５のスイッチ１３５をオンオフすることにより、回路の抵抗値が変化し、スイッチング電源１１２が出力する電流が制御され、回路に流れる電流を制御することができる。
【００９２】
これにより、常用時、スイッチング電源１１２の電源により点灯されている第１の発光部材１８０の調光が可能となる。制御回路１５０ｃにより、第２のスイッチ１３２をオフに制御すれば、第２の発光部材１９０の点灯も可能であり、第１の発光部材１８０及び第２の発光部材１９０の調光も可能である。ただし、第１の発光部材１８０及び第２の発光部材１９０の調光も可能な場合は、第１の発光部材１８０及び第２の発光部材１９０を同時に調光するのみであり個別に調光はできない。
【００９３】
一方、スイッチング電源１１２の出力は、充電回路１５０ａにも電力を供給し、２次電池１４０を充電する。
【００９４】
停電時、常用電源９１０から電力が供給されなくなると、スイッチング電源１１２が停止する。スイッチング電源１１２の停止により、制御回路１５０ｃは２次電池１４０から電力が供給される。そして、制御回路１５０ｃは、非常点灯回路１５０ｄを制御し、非常点灯回路１５０ｄは、第２の発光部材１９０に２次電池１４０の電力を供給することにより第２の発光部材１９０を点灯する。
【００９５】
つまり、常用電源９１０が遮断され停電になると、スイッチング電源１１２は停止するので２次電池１４０から制御回路１５０ｃに電力を供給し、非常点灯回路１５０ｄを制御回路１５０ｃで動作させる。
【００９６】
制御回路１５０ｃは、第１のスイッチ１３１をオン、第２のスイッチ１３２をオフに制御する。この制御により、非常点灯回路１５０ｄ、第１のスイッチ１３１、第２の発光部材１９０、少なくともセンス抵抗２５０ｅ，２５０ｆ，２５０ｇのうちのいずれか、非常点灯回路１５０ｄの閉ループが形成され、２次電池１４０を電源として第２の発光部材１９０のみを点灯する。
【００９７】
非常点灯回路１５０ｄの閉ループ（回路）は、定電流回路であるので、非常点灯回路１５０ｄにセンス電圧が設定されている。非常点灯回路１５０ｄは、センス電圧が保たれるように回路に電流を流す。したがって、制御回路１５０ｃにより、センス抵抗２５０ｅ，センス抵抗２５０ｆにそれぞれ並列に配置されている第４のスイッチ１３４，第５のスイッチ１３５をオンオフすることにより、回路の抵抗値が変化し、スイッチング電源１１２が出力する電流が制御され、回路に流れる電流を制御することができる。
【００９８】
これにより、停電時、非常点灯回路１５０ｄにより点灯されている第２の発光部材１９０の調光が可能となる。第１のスイッチ１３１をオフに制御すれば、第１の発光部材１８０の点灯も可能であり、第１の発光部材１８０及び第２の発光部材１９０の調光も可能である。ただし、この場合は、第１の発光部材１８０及び第２の発光部材１９０を同時に調光するのみであり個別に調光はできない。
【００９９】
図４に示すように、センス抵抗２５０ｆ，２５０ｅ，２５０ｇは直列に接続している。通常、スイッチング電源１１２のような回路では、回路損失の低減のため、定電流帰還のためのセンス電圧が低く設定されている（たとえば０．２Ｖ）。非常点灯回路１５０ｄ用のセンス電圧は０．２〜１．５Ｖ程度である。
【０１００】
回路に流れる電流は、常用時の方が停電時よりも大きい。これは、光源を点灯させるための電流が常用時の方が大きいためである。したがって、常用時の回路（スイッチング電源１１２の回路）の抵抗値が、停電時の回路（非常点灯回路１５０ｄの回路）の抵抗値よりも小さくなるように、センス抵抗を接続する。
【０１０１】
具体的には、センス抵抗２５０ｅ，２５０ｆ，２５０ｇの順に接続されている。スイッチング電源１１２は、センス抵抗２５０ｆの上側で電圧を検知し、非常点灯回路１５０ｄは、センス抵抗２５０ｅの上側で電圧を検知する。
【０１０２】
第４のスイッチ１３４を制御回路１５０ｃの信号に従ってオンオフすることで、常用時に動作するスイッチング電源用のセンス抵抗と非常時に動作する非常点灯回路１５０ｄのセンス抵抗の値を可変し、常用時と非常時の明るさを変えることができる。例えば、常用時には、制御回路１５０ｃは、第４のスイッチ１３４をオンにしてスイッチング電源１１２の回路の抵抗値を低くし、停電時には、制御回路１５０ｃは、第４のスイッチ１３４をオフにしてスイッチング電源１１２の回路の抵抗値を高くする。
【０１０３】
常用時に、第５のスイッチ１３５を制御回路１５０ｃがオンオフすることにより、スイッチング電源１１２は発光部材（第１の発光部材１８０、第２の発光部材１９０）を調光することが可能となる。第５のスイッチ１３５がオンしている方が、発光部材（第１の発光部材１８０、第２の発光部材１９０）は明るく点灯する。第１の発光部材１８０や第２の発光部材１９０を点灯する際に調光状態にすれば、明るさを確保しながら省エネルギーにもつながる。
【０１０４】
制御回路１５０ｃが第１のスイッチ１３１をオフ、第２のスイッチ１３２もオフに制御することにより、スイッチング電源１１２の出力は第３のスイッチ１３３を介し、第１の発光部材１８０、第２の発光部材１９０を点灯し、第４のスイッチ１３４、第５のスイッチ１３５を経由し、センス抵抗２５０ｇでセンスした電流値をスイッチング電源１１２に帰還して常用点灯する。このとき、第５のスイッチ１３５をオフし、抵抗２５０ｆとセンス抵抗２５０ｇの直列合成抵抗にすれば、第１の発光部材１８０、第２の発光部材１９０を調光点灯することができる。
【０１０５】
第１の発光部材１８０、第２の発光部材１９０を点灯するか否かは、第１のスイッチ１３１及び第２のスイッチ１３２を制御回路１５０ｃで操作することで、選択することができる。
【０１０６】
停電時には、制御回路１５０ｃの制御により、非常点灯回路１５０ｄが動作する。制御回路１５０ｃは、第４のスイッチ１３４及び第５のスイッチ１３５をオフにし、非常点灯回路１５０ｄ用のセンス抵抗は２５０ｅ，２５０ｆ，２５０ｇの直列合成抵抗値となるようにする。
【０１０７】
この制御により、常用時に充電しておいた２次電池１４０を電源とする非常点灯時に、常用時よりも電流を減らして省エネルギーとすることができる。
【０１０８】
この非常点灯時のとき、制御回路１５０ｃは、第１のスイッチ１３１はオン、第２のスイッチ１３２はオフするように制御回路１５０ｃで制御して、第２の発光部材１９０のみが点灯するようにする。
【０１０９】
図２に示す回路のように、壁スイッチ９１１をオフにすると、常用安定器８３０への電源供給が遮断されてしまう回路構成では、壁スイッチ９１１がオフの場合に、人感センサ１２１、明るさセンサ１１９との併用はできない。しかし、本実施の形態のように、壁スイッチ９１１の信号を消灯用の信号として制御回路１５０ｃに入力し、消灯する方式であれば、明るさセンサ１１９や人感センサ１２１で検出した信号を制御回路１５０ｃに入力することで、第１の発光部材１８０、第２の発光部材１９０の点灯・調光・消灯を制御することができる。
【０１１０】
図５は、本実施の形態における照明器具１００ｂの点灯バリエーションを示す図である。図６は、本実施の形態における照明器具１００ｂの点灯バリエーションの制御フローを示す図である。
【０１１１】
図５は、特に常夜灯としての明るさの確保を重視するとした場合の照明器具１００ｂにおける点灯バリエーションである。図５では、第１の発光部材１８０と第２の発光部材１９０の点灯に関係する項目をマトリクス表示し、動作パターンを示している。図６は、特に常用時の制御回路１５０ｃの制御フローを示しており、図５のパターンＮｏ．１〜８に対応する制御フローを示している。
【０１１２】
図５、図６を用いて、照明器具１００ｃの点灯バリエーション（動作パターン）の一例について説明する。
【０１１３】
本実施の形態の照明器具１００ｂでは、常夜灯としての機能は極力活かしたいため、各構成要素の状態としての優先順位は、常用電源９１０有無＞人感センサ１２１＞明るさセンサ１１９＞壁スイッチ９１１とすることが好ましい。
【０１１４】
図５のパターンＮｏ．１〜４に示すように、常用時（図６のＳ１１０でオン）、壁スイッチ９１１のオンオフに関わらず（図６のＳ１１５、Ｓ１１６でオンオフ）、明るさセンサ１１９で明るさが確保されているようであっても（図６のＳ１１４で明暗）、人を検知した際には（図６のＳ１１２で在）、常夜灯となる第２の発光部材１９０は必ず点灯させることとすることもできる（図６のＳ１１９〜Ｓ１２２）。
【０１１５】
また、図５のパターンＮｏ．９〜１８に示すように、停電時には、第２の発光部材１９０が必ず点灯し、いざという時でも円滑に避難することができるようにする。
【０１１６】
図５にはないが、照明器具１００ｃの常夜灯の点灯バリエーションとして、明るさセンサ１１９で明るさが確保されていたとしても、第１の発光部材１８０を消灯せずに調光状態で点灯を継続する動作パターンも考えられる。調光状態とは、所定の明るさ以下に明るさを制御して点灯する状態である。
【０１１７】
第２の発光部材については、非常点灯時の明るさが規定に合う明るさであれば、常用時の常夜灯としての明るさは、第１の発光部材１８０の常用点灯と同じ明るさにするか、非常点灯時の明るさと同じ明るさにするかを設定することができる。
【０１１８】
常用電源９１０、人感センサ１２１、明るさセンサ１１９、壁スイッチ９１１の状態と第１の発光部材１８０、第２の発光部材１９０の点灯状態を単純に組合せると更にたくさんの組み合わせは存在するが、実質的な組合せは図５のＮｏ．１〜１８に示す通りになる。
【０１１９】
例えば、パターンＮｏ．１７，１８のように、非常時の停電の際には、人が居て、周囲が暗い場合には、第１の発光部材１８０も点灯させて規定の明るさを確保するようにすれば、足元だけでなく、踊り場全体を照らすことが可能となり、よりスムーズに避難が行なえる効果も期待できる。
【０１２０】
図５のパターンＮｏ．１７，１８に示すように、非常時に、第１の発光部材１８０と第２の発光部材１９０とを点灯させるためには、制御回路１５０ｃは第１のスイッチ１３１及び第２のスイッチ１３２をともにオフに制御すればよい。ただし、この場合は、第１のスイッチ１３１及び第２のスイッチ１３２を２次電池１４０により点灯させるので、２次電池１４０の容量を大きくする必要がある。
【０１２１】
以上のように、本実施の形態に係る照明器具１００ｃによれば、常用時、壁スイッチのオンオフに関わらず、発光部材（第１の発光部材１８０，第２の発光部材１９０）を調光することができる。また、常用時にも調光可能としたことで、省エネの効果が期待できる。
【０１２２】
実施の形態３．
本実施の形態では、非常時であっても、第１の発光部材１８０と第２の発光部材１９０とを点灯可能とするとともに、第１の発光部材１８０と第２の発光部材１９０とを個別に点灯制御可能とする回路構成を備えた照明器具１００ｃについて説明する。
【０１２３】
図７は、本実施の形態に係る照明器具１００ｃを示す回路図である。図７は、実施の形態２で説明した図４の回路図に対して、さらに構成を追加したものである。図７では、図４と同様の機能を有する構成については同一の符号を付し、その説明を省略する。
【０１２４】
図７に示すように、照明器具１００ｃは、第２の非常点灯回路１５０ｅ、センス抵抗２５０ｈ、第６のスイッチ１３６、第９のスイッチ１３９、第１０のスイッチ１３６ａを備える。
【０１２５】
常用電源９１０が遮断され、停電になったら、スイッチング電源１１２は停止する。制御回路１５０ｃには、２次電池１４０から電力が供給され、制御回路１５０ｃは、非常点灯回路１５０ｄと第２の非常点灯回路１５０ｇとを動作させる。
【０１２６】
センス抵抗２５０ｆ，２５０ｇと、非常点灯回路１５０ｄ用のセンス抵抗２５０ｅと、第２の非常点灯回路１５０ｅ用のセンス抵抗２５０ｈとは直列に接続している。
【０１２７】
回路に流れる電流は、常用時の方が停電時よりも大きい。これは、光源を点灯させるための電流が停電時よりも常用時の方が大きいためである。したがって、常用時の回路（スイッチング電源１１２の回路）の抵抗値が、停電時の回路（非常点灯回路１５０ｄの回路）の抵抗値よりも小さくなるように、センス抵抗を配置する。
【０１２８】
具体的には、図７に示すように、センス抵抗は、センス抵抗２５０ｅ，２５０ｆ，２５０ｇの順に接続されている。スイッチング電源１１２は、センス抵抗２５０ｆの上側（第９のスイッチ１３９側）で電圧を検知し、非常点灯回路１５０ｄは、センス抵抗２５０ｅの上側（第９のスイッチ１３９側）で電圧を検知する。
【０１２９】
制御回路１５０ｃが、第４のスイッチ１３４をオンオフすることで、常用時に動作するスイッチング電源１１２の回路のセンス抵抗値と、非常時に動作する第２の非常点灯回路１５０ｅ用の回路のセンス抵抗値を可変し、常用時と非常時の明るさを変えることができる。例えば、常用時には、制御回路１５０ｃは、第４のスイッチ１３４をオンにして回路の抵抗値を低くし、停電時には、制御回路１５０ｃは、第４のスイッチ１３４をオフにして回路の抵抗値を高くする。
【０１３０】
上述のように、センス抵抗は、第２の非常点灯回路１５０ｅ用センス抵抗２５０ｈ、非常点灯回路１５０ｄ用センス抵抗２５０ｅ、常用・非常用共通のセンス抵抗２５０ｆ，２５０ｇの順に接続されている。
【０１３１】
常用時には、制御回路１５０ｃは、第４のスイッチ１３４をオンするように制御し、第５のスイッチ１３５をオンオフすることで、スイッチング電源１１２用のセンス抵抗はセンス抵抗２５０ｇのみ、またはセンス抵抗２５０ｆ＋センス抵抗２５０ｇで動作する。
【０１３２】
第２の非常点灯回路１５０ｅは第１の発光部材１８０と第２の発光部材１９０の両方を違う明るさで点灯するための回路で、センス抵抗２５０ｈとセンス抵抗２５０ｅとセンス抵抗２５０ｆとセンス抵抗２５０ｇとの４つのセンス抵抗の直列合成抵抗で決まる電流値で動作する。
【０１３３】
停電時には、制御回路１５０ｃで第４のスイッチ１３４をオフにし、非常点灯回路１５０ｄ用のセンス抵抗は２５０ｅと２５０ｆと２５０ｇの直列合成抵抗値となるようにする。また、停電時には、同様に、第２の非常点灯回路１５０ｅは、センス抵抗２５０ｈと２５０ｅと２５０ｆと２５０ｇの合成抵抗でセンスする。
【０１３４】
第２の非常点灯回路１５０ｅがセンスする電流は、第９のスイッチ１３９を介してセンス抵抗に流れる。こうすることによって、常用時よりも非常時の方が流れる電流が小さい非常点灯状態とすると共に、第１の発光部材１８０に流れる電流は第２の発光部材１９０に流れる電流よりも少なくして点灯することができる。
【０１３５】
この非常点灯のとき、第１のスイッチ１３１、第２のスイッチ１３２は共にオフするように制御回路１５０ｃで制御し、第１の発光部材１８０も第２の発光部材１９０も点灯させる。
【０１３６】
以上のように、本実施の形態に係る照明器具１００ｃの回路によれば、ひとつの回路で、例えば、第２の発光部材１９０を点灯し、更に第１の発光部材１８０を点滅させるように、制御回路１５０ｃにより第１のスイッチ１３１を制御することができる。
【０１３７】
更に、照明器具１００ｄの非常点灯時の動作のバリエーション（点灯バリエーション）について説明する。第２の発光部材１９０は、周囲が暗い時に足元の明るさを確保することが目的の光源として使用するものである。また、第１の発光部材１８０は、避難経路、階段の所在を明らかにする、あるいは目立ちやすくすることが目的となる。避難経路、階段の所在を目立ちやすくする方法として、光源である第１の発光部材１８０を点滅させるのが有効である。
【０１３８】
図８は、本実施の形態に係る照明器具１００ｄの非常時における第１の発光部材１８０と第２の発光部材１９０との点灯状態の組み合わせを示す図である。図９は、本実施の形態に係る照明器具１００ｄの非常時における第１の発光部材１８０及び第２の発光部材１９０の点灯状態制御のフロー図である。図１０は、本実施の形態に係る照明器具１００ｄの非常時における第１の発光部材１８０及び第２の発光部材１９０の点灯状態制御のフロー図である。
【０１３９】
本実施の形態では、照明器具１００ｃにおける非常点灯時に、第１の発光部材１８０が点滅する要素を加えている。図８に示すように、非常時には第２の発光部材１９０は、非常灯として機能するので、非常点灯状態である。したがって、第１の発光部材１８０の点灯、点滅、調光、消灯状態と組み合わせて、図８の４つの組み合わせパターンが考えられる。
【０１４０】
図９，１０を用いて、図９の動作パターン１５を例に説明する。制御回路１５０ｃは、停電を検知すると、Ｓ２１２において第１の発光部材１８０を点滅させ、第２の発光部材１９０を非常点灯させる。Ｓ２１０において、制御回路１５０ｃは、点灯時間が規定の非常点灯時間を超えたと判断すると（Ｓ２１０においてＹＥＳ）、第１の発光部材１８０を消灯し、第２の発光部材１９０の非常点灯を継続する（Ｓ２１１）。
【０１４１】
ここで、規定の非常点灯時間とは、非常時に非常灯として非常点灯すべき時間として法律で規定されている時間である。
【０１４２】
図９に示すように、第２の発光部材１９０は、少なくとも規定の非常点灯時間内には消灯せず点灯状態（非常点灯状態）とする。第１の発光部材１８０は、点灯、調光または点滅させる。電池の容量を控えたい場合には、第１の発光部材１８０は調光（非常点灯状態より暗めに設定）する。これにより、照明器具１００ｃが設置されている階段の所在を明らかにし、目立ちやすくすることができる。
【０１４３】
照明器具１００ｃにて、第２の発光部材１９０は規定の明るさで非常点灯し、非常灯としての機能を有するが、第１の発光部材１８０は、点滅または調光の場合には、本来の非常点灯用の光源としては認められなくなるため、補助的な動作をすることになる。非常点灯には動作時間（３０分又は６０分）が法で定められており、誘導灯では動作時間（２０分または６０分）が定められている。この決められた時間に対して、それ以上の時間、補助的に第２の発光部材１９０の点灯時間を延長する目的で、非常点灯時の明るさを若干下げたりすることは可能である。
【０１４４】
第１の発光部材１８０を点灯させたり、点滅させたり、明るさを下げて点灯（調光）したり、もしくは消灯することで、第２の発光部材１９０の点灯時間を延長するなどの点灯バリエーションが考えられる。
【０１４５】
ここで、各々の発光部材の、非常点灯状態としての役割を考慮した動作優先順位を考えてみる。第１の発光部材１８０を「気づかせる目的の明かり」として機能させる場合は、動作優先順位は「点灯＞点滅＞調光＞消灯」となる。また、第２の発光部材を「足元を照らす常夜灯及び本来の非常用照明の目的の明かり」とする場合は、動作優先順位は、「点灯＞調光＞点滅＞（消灯はしない）」となる。
【０１４６】
これらの動作パターンを非常点灯の動作時間とあわせて組合せると単純計算では２５６種類に及ぶ組合せが考えられるが、実質的な組合せは図９に示す３０パターンが非常時の動作パターンとなる。
【０１４７】
図９に示す１〜３０のいずれのパターンでも、第２の発光部材１９０は、非常点灯の規定時間内は非常点灯し、足元の明るさ確保を行なう。
【０１４８】
しかし、たとえば第１の発光部材１８０が非常点灯の規定時間内に調光状態で点灯していた場合、時間を過ぎたところで逆に点滅して目立ちやすくするような動作はなく、調光状態を継続するか第２の発光部材１９０の点灯時間を延長する目的で消灯するか、の遷移となる。
【０１４９】
第１の発光部材１８０と第２の発光部材１９０で明るさを変える場合は、非常点灯回路が２つ必要になるため回路が煩雑になるが、細かな制御によって、避難の際の視認性の向上や点灯時間を延長できる効果が見込める。この場合の例を次に示す。
【０１５０】
たとえば、図９の非常点灯の動作パターン１４を例に説明する。制御回路１５０ｃは、停電を検知すると、Ｓ２１２において第１の発光部材１８０を点滅させ、第２の発光部材１９０を非常点灯させる。Ｓ２１０において、制御回路１５０ｃは、点灯時間が規定の非常点灯時間を超えたと判断すると（Ｓ２１０においてＹＥＳ）、第１の発光部材１８０を調光し、第２の発光部材１９０は非常点灯させる（Ｓ２１６）。
【０１５１】
このように、動作パターン１４では、非常時の停電となった時には、第１の発光部材１８０はその所在を目立たせる目的で点滅し、階段避難経路がある場所を知らしめる。一方第２の発光部材１９０は非常時の避難に必要な明るさで非常点灯する。非常点灯の時間が規定の時間まではこのように動作させたあと、規定時間を越えたら、第１の発光部材は点滅を止め、調光状態で点灯し、第２の発光部材は避難に必要な明るさで非常点灯を継続する。
【０１５２】
場合によっては、更に時間が経過した時には、二つの発光部材の点灯パターンを１７のように両方調光状態に変化させ、点灯時間を延長することもできる。
【０１５３】
今まで述べてきたような内容の組み合わせで図９のような点灯のパターンが実現できる。どのモードになるかという点以外は内容として動作は同様なので、詳細の説明は割愛する。常用時の点灯パターンと組合せることで、常夜灯として活用できる、最適な非常用照明器具が実現できる。
【０１５４】
図１１は、本実施の形態に係る照明器具１００ｃの動作パターンと各スイッチの位置関係の例を示す図である。
【０１５５】
図１１の例１では、常用時は、第１の発光部材１８０が消灯、第２の発光部材１９０が調光である（図５のパターンＮｏ．２と同一）。この場合は、第１のスイッチ１３１をオン、第２のスイッチ１３２をオフ、第４のスイッチ１３４をオン、第５のスイッチ１３５をオフ、第６のスイッチ１３６をオン、第９のスイッチ１３９をオフ、第１０のスイッチ１３６ａをオフする。
【０１５６】
非常時の非常時間内は、第１の発光部材１８０が点滅、第２の発光部材１９０が非常点灯状態であり、非常時の非常時間超は、第１の発光部材１８０が調光、第２の発光部材１９０が非常点灯状態である（図９のパターンＮｏ．１４と同一）。非常時の非常時間内は、第１のスイッチ１３１をオン／オフ、第２のスイッチ１３２をオフ、第４のスイッチ１３４をオフ、第５のスイッチ１３５をオフ、第６のスイッチ１３６をオフ、第９のスイッチ１３９をオン、第１０のスイッチ１３６ａをオフする。非常時において非常時間を超えると、第１のスイッチ１３１をオフ、第２のスイッチ１３２をオフ、第４のスイッチ１３４をオフ、第５のスイッチ１３５をオフ、第６のスイッチ１３６をオフ、第９のスイッチ１３９をオン、第１０のスイッチ１３６ａをオフする。
【０１５７】
図１１の例２では、常用時は、第１の発光部材１８０が消灯、第２の発光部材１９０が常用点灯である（図５のパターンＮｏ．４と同一）。この場合は、第１のスイッチ１３１をオン、第２のスイッチ１３２をオフ、第４のスイッチ１３４をオン、第５のスイッチ１３５をオン、第６のスイッチ１３６をオン、第９のスイッチ１３９をオフ、第１０のスイッチ１３６ａをオンする。
【０１５８】
非常時の非常時間内は、第１の発光部材１８０が非常点灯、第２の発光部材１９０が非常点灯であり、非常時の非常時間超は、第１の発光部材１８０が点滅、第２の発光部材１９０が調光である（図９のパターンＮｏ．６と同一）。非常時の非常時間内は、第１のスイッチ１３１をオフ、第２のスイッチ１３２をオフ、第４のスイッチ１３４をオフ、第５のスイッチ１３５をオフ、第６のスイッチ１３６をオン、第９のスイッチ１３９をオフ、第１０のスイッチ１３６ａをオフする。非常時において非常時間を超えると、第１のスイッチ１３１をオン／オフ、第２のスイッチ１３２をオフ、第４のスイッチ１３４をオフ、第５のスイッチ１３５をオフ、第６のスイッチ１３６をオフ、第９のスイッチ１３９をオフ、第１０のスイッチ１３６ａをオフする。
【０１５９】
以上のように、本実施の形態に係る照明器具１００ｃでは、第１の発光部材１８０と第２の発光部材１９０とを点灯可能とするとともに、第１の発光部材１８０と第２の発光部材１９０とを個別に点灯制御可能とする回路構成を備えた。したがって、常用時、非常時ともに、第１の発光部材１８０と第２の発光部材１９０とを個別に点灯制御可能であるので、豊富な点灯バリエーションを実現することができる。
【０１６０】
実施の形態４．
図１２は、実施の形態４に係る照明器具１００ｄの回路図である。図１３は、本実施の形態に係る照明器具１００ｄの各スイッチと各発光部材と２次電池１４０の状態の関係を示す図である。
【０１６１】
実施の形態４に係る照明器具１００ｄは、第１の発光部材１８０、第２の発光部材１９０、２次電池１４０に流す定電流の回路を共用したものである。図１２において、実施の形態１の図３と同様の構成には同一の符号を付しその説明を省略する。
【０１６２】
照明器具１００ｄでは、第１の発光部材１８０、第２の発光部材１９０、２次電池１４０に流す定電流の回路を共有するために、充電回路１５０ａは削除している。電流検出用センス抵抗２５０ｆは２次電池４の下に配置する。照明器具１００ｄでは、消灯時に使う第３のスイッチ１３３は削除し、短絡している。
【０１６３】
図１２に示すように、照明器具１００ｄは、第７のスイッチ１３７、第８のスイッチ１３８を備える。制御回路１５０ｃは、第７のスイッチ１３７を、常用点灯時にオフ、非常点灯時にオンとするように制御する。また、制御回路１５０ｃは、第８のスイッチ１３８を、常用点灯時にオン、非常点灯時にオフとするように制御する。
【０１６４】
図１２、図１３に示すように、常用時、第１の発光部材１８０が点灯し、第２の発光部材１９０が消灯しているときは、第１のスイッチ１３１がオフ、第２のスイッチ１３２がオン、第７のスイッチ１３７がオフ、第８のスイッチ１３８がオンとなる。これにより、スイッチング電源１１２の出力は、第１の発光部材１８０、第２のスイッチ１３２、第８のスイッチ１３８、２次電池１４０を経由してスイッチング電源１１２に戻る閉ループを形成する。
【０１６５】
つまり、第１の発光部材１８０を点灯させる回路と２次電池１４０を充電する回路は兼用となる。２次電池１４０の下にセンス抵抗２５０ｆが配置され、スイッチング電源１１２は回路に定電流を流すように動作する。定電流の帰還はセンス抵抗２５０ｆに発生する電圧となる。
【０１６６】
壁スイッチ９１１などによる消灯状態になったら、第１の発光部材１８０は消灯し、第２の発光部材１９０は常夜灯となる。そして、２次電池１４０が充電される。この場合、第１のスイッチ１３１がオン、第２のスイッチ１３２がオフ、第７のスイッチ１３７がオフ、第８のスイッチ１３８がオンとなる。これにより、スイッチング電源１１２の出力は、第１のスイッチ１３１、第２の発光部材１９０、第８のスイッチ１３８、２次電池１４０を経由してスイッチング電源１１２に戻る閉ループを形成する。第１のスイッチ１３１、第２のスイッチ１３２をともにオンして、２次電池１４０のみに電流が流れるように制御することもできる。
【０１６７】
停電時、スイッチング電源１１２が停止すると、２次電池１４０から非常点灯回路１５０ｄに電源が供給される。第１の発光部材１８０は消灯し、第２の発光部材１９０は非常点灯となる。この場合、第１のスイッチ１３１がオン、第２のスイッチ１３２がオフ、第７のスイッチ１３７がオン、第８のスイッチ１３８がオフとなる。これにより、非常点灯回路１５０ｄの出力は、第１のスイッチ１３１、第２の発光部材１９０、第７のスイッチ１３７、センス抵抗２５０ｅを経由して２次電池１４０に戻るループとなる。非常点灯回路１５０ｄの定電流の帰還はセンス抵抗２５０ｅの電圧となる。
【０１６８】
また、停電時に、第１の発光部材１８０が点灯し、第２の発光部材１９０が非常点灯となる場合は、第１のスイッチ１３１がオフ、第２のスイッチ１３２がオフ、第７のスイッチ１３７がオン、第８のスイッチ１３８がオフとなる。これにより、非常点灯回路１５０ｄの出力は、第１の発光部材１８０、第２の発光部材１９０、第７のスイッチ１３７、センス抵抗２５０ｅを経由して２次電池１４０に戻るループとなる。非常点灯回路１５０ｄの定電流の帰還はセンス抵抗２５０ｅの電圧となる。
【０１６９】
以上のように、本実施の形態に係る照明器具１００ｄによれば、常用時に２次電池１４０を充電し、その充電電流は第１の発光部材１８０（あるいは、第２の発光部材１９０）を点灯する電流と同じ定電流回路とする。したがって、第１の発光部材１８０（あるいは、第２の発光部材１９０）を点灯する定電流回路と２次電池１４０を充電する定電流回路とを共用することで、回路の簡素化や部品の削減が図れる。
【０１７０】
上記した実施の形態１〜４では、以下の照明装置の一例を説明した。
第１の発光部材と第２の発光部材と電池とを備える照明装置であって、常用時には電源から供給される電力により前記第１の発光部材を点灯させ、電源が停止する停電時には前記電池から供給される電力により前記第２の発光部材を点灯させる照明装置において、
前記電池を充電する充電回路と、
常用時に点灯要求を受け付けたことを検出した場合に点灯検出信号を出力し、常用時に消灯要求を受け付けたことを検出した場合に消灯検出信号を出力する検出回路と、
前記検出回路から点灯検出信号を入力した場合に、電源から前記第１の発光部材に電力が供給されるように制御して前記第１の発光部材を点灯させ、電源から前記第２の発光部材に電力が供給されないように制御して前記第２の発光部材を消灯させ、電源から前記充電回路に電力が供給されるように制御して前記電池を充電する点灯時制御回路と、
前記検出回路から消灯検出信号を入力した場合に、電源から前記第１の発光部材に電力が供給されないように制御して前記第１の発光部材を消灯させ、電源から前記第２の発光部材に電力が供給されるように制御して前記第２の発光部材を点灯させ、電源から前記充電回路に電力が供給されるように制御して前記電池を充電する消灯時制御回路と
を備える照明装置。
【０１７１】
前記照明装置は、さらに、
停電を検知する停電時制御回路であって、停電を検知した場合に前記電池から電力が供給される停電時制御回路と、
前記停電時制御回路により制御される第１の非常点灯回路であって、停電時に前記第２の発光部材に前記電池の電力を供給することにより前記第２の発光部材を点灯する第１の非常点灯回路と
を備える。
【０１７２】
前記照明装置は、さらに、
前記停電時制御回路により制御される第２の非常点灯回路であって、停電時に前記第１の発光部材に前記電池の電力を供給することにより前記第１の発光部材を点灯する第２の非常点灯回路と
を備える。
【０１７３】
前記照明装置は、さらに、
前記第２の発光部材に流れる電流を調整する電流調整回路と、
周囲の明るさを検知して、検知した明るさに応じた明るさ検出信号を出力する明るさセンサとを備え、
前記消灯時制御回路は、
前記明るさセンサから入力した明るさ検出信号に基づいて、前記電流調整回路を制御する。
【符号の説明】
【０１７４】
１００  照明器具、１１０  シーリングカバー、１１２  スイッチング電源、１１５  消灯検出回路、１１７  明るさ設定回路、１１８  非常点灯回路、１１９  明るさセンサ、１２０  器具本体、１２１  人感センサ、１３１  第１のスイッチ、１３３  第３のスイッチ、１３３  第３のスイッチ、１３４  第４のスイッチ、１３５  第５のスイッチ、１３６  第６のスイッチ、１３６ａ  第１０のスイッチ、１３７  第７のスイッチ、１３８  第８のスイッチ、１３９  第９のスイッチ、１４０  ２次電池、１５０ａ  充電回路、１５０ｃ  制御回路、１５０ｄ  非常点灯回路、１５０ｅ  第２の非常点灯回路、１６０  点検スイッチ、１７０  端子台、１８０  第１の発光部材、１８０ａ〜１８０ｄ  ＬＥＤモジュール、１９０  第２の発光部材、１８１  発光面、１８２  光源、２５０  センス抵抗、３３１  人感センサ、３３３  第３の非常点灯回路、２５０  センス抵抗、８００  組込型非常用照明器具、８１０  シーリングカバー、８３０  常用安定器、８４０  ２次電池、８５０  コントロールユニット、８５０ａ  充電回路、８５０ｂ  切替制御回路、８６０  点検スイッチ、８７０  端子台、８８０  主光源、８９０  非常用光源、９１０  常用電源、９１１  壁スイッチ。
【図１】
0005925367.tif 000002
【図２】
0005925367.tif 000003
【図３】
0005925367.tif 000004
【図５】
0005925367.tif 000005
【図６】
0005925367.tif 000006
【図７】
0005925367.tif 000007
【図８】
0005925367.tif 000008
【図９】
0005925367.tif 000009
【図１０】
0005925367.tif 000010
【図１１】
0005925367.tif 000011
【図１２】
0005925367.tif 000012
【図１３】
0005925367.tif 000013
【図４】
0005925367.tif 000014